(57)【要約】【課題】マグネット・チャッキング方式のディスクはもとより、メカニカル・チャッキング方式のディスクにも使用することのできるディスクカートリッジを提供する。【解決手段】ディスクカートリッジ１は、ディスク２００を収納するディスク収納部２を備えたカートリッジ本体部３と、カートリッジ本体部３に移動可能に取付けられていてディスク収納部２の底面に設けた駆動軸挿入用の開口部４等を開閉するシャター６と、を備えている。カートリッジ本体部３に、ディスク収納部２の上部を一方の主面側に開放する前記ディスク収納部２と略同径のディスク出し入れ用の開口部７と、ディスク収納部２内にディスクを保持するディスク保持機構８と、を設けた。【選択図】　図３
2004139674.tif 000002
【特許請求の範囲】
【請求項１】
ディスクを収納するディスク収納部を備えたカートリッジ本体部と、カートリッジ本体部に移動可能に取付けられていてディスク収納部の底面に設けた駆動軸挿入用の開口部を開閉するシャターと、を備え、
前記カートリッジ本体部は、前記ディスク収納部の上部を一方の主面側に開放した前記ディスク収納部と略同径のディスク出入用の開口部と、前記ディスク収納部内にディスクを保持するディスク保持機構と、を備えるディスクカートリッジにおいて、
前記ディスク保持機構は、前記ディスク収納部の開口部側の端部の略対向部に設けられていて前記ディスク収納部内に収納されている前記ディスクの周縁部の上面に当接して前記ディスクが前記ディスク収納部内から抜け出るのを阻止する第１のディスク保持部と第２のディスク保持部と、を備えている
ことを特徴とするディスクカートリッジ。
【請求項２】
前記第１のディスク保持部は、前記ディスク収納部内に収納されている前記ディスクの周縁部の上部に重合する位置に固定して設けられ、
前記第２のディスク保持部は、前記ディスク収納部内にディスクを保持するディスク保持位置と、前記ディスク収納部内からディスクを出し入れ可能にするディスク出し入れ許容位置と、の間で移動可能に設けられている
ことを特徴とする請求項１に記載のディスクカートリッジ。
【請求項３】
前記第２のディスク保持部は、前記ディスク保持位置において前記ディスク収納部内に収納されている前記ディスクの外周面に接触する接触部と、前記ディスクの周縁部の上部に重なり合う鍔部と、前記接触部及び鍔部を前記ディスク収納部内のディスク側に付勢する弾性部と、移動ガイド用の凸部と、を備え、
前記カートリッジ本体部は、前記移動ガイド用の凸部を挿入することにより前記第２のディスク保持部を前記ディスク保持位置と前記ディスク出し入れ許容位置にガイドする移動ガイド用の凹部を備えている
ことを特徴とする請求項２に記載のディスクカートリッジ。
【請求項４】
前記移動ガイド用の凹部は、前記第２のディスク保持部が前記ディスク保持位置に移動してきたときに前記移動ガイド用の凸部を係止する係止部を備えている
ことを特徴とする請求項２に記載のディスクカートリッジ。
【請求項５】
前記第２のディスク保持部は、前記シャターを前記開口部を開放する位置に移動させて来たときに該シャターで押されて前記ディスク保持位置に移動し、前記シャターを前記開口部を閉塞する方向に移動させると前記弾性部の付勢力で前記ディスク出し入れ許容位置に移動する
ことを特徴とする請求項２に記載のディスクカートリッジ。
【発明の詳細な説明】
【０００１】
【発明の属する技術分野】
本発明は、ディスクを収納するディスクカートリッジに関し、特に、ディスクを入れ代えて、記録及び／又は再生装置に装填できるようにしたものである。
【０００２】
【従来の技術】
ディスクを収納するディスクカートリッジとして、例えば、光ディスクや光磁気ディスク等を収納したディスクカートリッジが知られている。図１７に示すように、前記ディスクカートリッジ１００は、情報記録媒体としてのディスク２００を収納するディスク収納部（以下、ディスク収納部と称する）１０１を備えたカートリッジ本体部１０２と、カートリッジ本体部１０２に移動可能に取付けられていて該カートリッジ本体部１０２に設けた駆動軸挿入用の開口部１０３及び記録及び／又は再生用の開口部１０４を開閉するシャター１０５と、を備えている。
【０００３】
前記カートリッジ本体部１０２は、上ハーフ１０６と下ハーフ１０７を突き合わせてネジ１０８や溶着等の方法で両者を一体的に結合することにより形成されている。このため、ディスクカートリッジ１００とディスク２００は、一体不可分で、ディスク２００とディスクカートリッジ１００が常にペアとして販売されるために、その分、コストが高くなる。
【０００４】
そこで、図１８に示すように、駆動軸挿入用の開口部や記録及び／又は再生用の開口部（図示省略）を有するカートリッジ本体部１０２の一側端に、前記開口部を開閉するための断面コ字状のシャッター１０５を前記一側端に沿って移動自在に設けると共に、前記カートリッジ本体部１０２の前記一側端に対して対辺に位置する他端側にディスク挿入口１０９を形成し、このディスク挿入口１０９を開閉自在に塞ぐ蓋部材１１０を設けたディスクカートリッジ３００が開発されている。（例えば、特許文献１参照。）。
【０００５】
また、図１９に示すように、カートリッジ本体部１０２の上ハーフ１０６の主面部の一部１１１を、ヒンジ部１１２によって回動開閉可能にして、ディスク２００を交換可能にしたディスクカートリッジ４００が開発されている。（例えば、特許文献２参照。）。
【０００６】
【特許文献１】
特開平６−１２８１４号公報（特許請求の範囲、第１図）
【０００７】
【特許文献２】
特開平９−２１３０４３号公報（特許請求の範囲、第１図）
【０００８】
【発明が解決しようとする課題】
ところで、前記従来のディスクカートリッジ３００、４００に使用されるディスク２００は、図２０に示すように、中央部に磁性ハブ２０１を備えていて、記録及び／又は再生装置（図示省略）のターンテーブル５０１にマグネット５０２によって吸着チャッキングされる所謂マグネット・チャッキング方式のディスクであって、図２１に示すように、ディスク２００の中央部に磁性ハブ２０１を備えておらず、センター孔２０２のみが設けられていて記録及び／又は再生装置に設けたクランプ部材５０３によってターンテーブル５０１上に挟着されてチャッキングされる所謂メカニカル・チャッキング方式のディスク６００には、前記従来のディスクカートリッジ３００、４００を使用することはできないという問題点があった。
【０００９】
何故ならば、前記従来のディスクカートリッジ３００、４００は、ディスク収納部の上部（ディスクカートリッジ４００は、ディスク収納部の上部の中央部）が塞がれた状態になっていて、記録及び／又は再生装置側に設けたクランプ部材５０３をカートリッジ内に導入できないからである。
【００１０】
また、特許文献２のディスクカートリッジ４００は、ディスク収納部の上部を所謂半開きにする構成であるために、ディスク収納部の上部を全開する場合に比べてディスクをディスク収納部に挿入し難いという課題があった。
【００１１】
本発明の目的は、磁性ハブを有するディスクはもとより、磁性ハブを有しないディスクに使用して、メカニカル・チャッキング方式の記録及び／又は再生装置に装填させることのできるディスクカートリッジを提供することにある。
【００１２】
また、本発明の他の目的は、ディスクのディスク収納部への挿入を容易に行なうことのできるディスクカートリッジを提供することにある。
【００１３】
【課題を解決するための手段】
請求項１の発明は、ディスクを収納するディスク収納部を備えたカートリッジ本体部と、カートリッジ本体部に移動可能に取付けられていてディスク収納部の底面に設けた駆動軸挿入用の開口部を開閉するシャターと、を備え、
前記カートリッジ本体部に、前記ディスク収納部の上部を一方の主面側に開放する前記ディスク収納部と略同径のディスク出し入れ用の開口部と、前記ディスク収納部内にディスクを保持するディスク保持機構と、を設けたディスクカートリッジにおいて、
前記ディスク保持機構を、前記ディスク収納部の開口部側の端部の略対向部に設けられていて前記ディスク収納部内に収納されている前記ディスクの周縁部の上面に当接して前記ディスクが前記ディスク収納部内から抜け出るのを阻止する第１のディスク保持部と第２のディスク保持部と、で構成することにより、
ディスクカートリッジを記録及び／又は再生装置へ装填する以前においては、前記ディスク保持機構の第１のディスク保持部と第２のディスク保持部によりディスクをディスク収納部内から脱落しないようにすると共に、磁性ハブを有するディスクをディスクカートリッジに収納してマグネット・チャッキング方式の記録及び／又は再生装置へ装填した場合には、前記ディスク収納部の底面に設けた駆動軸挿入用の開口部から前記記録及び／又は再生装置のターンテーブルをディスクカートリッジ内に導入して、磁性ハブを有するディスクをターンテーブル上にマグネット・チャッキング可能にした。また、磁性ハブを有しないディスクをディスクカートリッジに収納してメカニカル・チャッキング方式の記録及び／又は再生装置へ装填した場合には、前記ディスク出し入れ用の開口部から、前記記録及び／又は再生装置のクランプ部材をディスクカートリッジ内に導入して、前記クランプ部材でディスクをターンテーブル上にメカニカル・チャッキング可能にした。
【００１４】
請求項２の発明は、請求項１のディスクカートリッジにおいて、
前記第１のディスク保持部を、前記ディスク収納部内に収納されている前記ディスクの周縁部の上部に重合する位置に固定的に設けると共に、前記第２のディスク保持部を、前記ディスク収納部内にディスクを保持するディスク保持位置と、前記ディスク収納部内からディスクを出し入れ可能にするディスク出し入れ許容位置と、の間で移動可能にすることにより、
前記第２のディスク保持部を、ディスク保持位置に移動させて、ディスクがディスク収納部内から抜け落ちるのを防止すると共に、前記第２のディスク保持部を、ディスク出し入れ許容位置に移動させて、ディスクをディスク収納部内から取り出したり、或いはディスクをディスク収納部内に挿入することができるようにした。
【００１５】
請求項３の発明は、請求項２のディスクカートリッジにおいて、
前記第２のディスク保持部に、前記ディスク保持位置において前記ディスク収納部内に収納されている前記ディスクの外周面に接触する接触部と、前記ディスクの周縁部の上部に重なり合う鍔部と、前記接触部及び鍔部を前記ディスク側に付勢する弾性部と、移動ガイド用の凸部と、を設け、
前記カートリッジ本体部に、前記移動ガイド用の凸部を挿入することにより前記第２のディスク保持部を前記ディスク保持位置と前記ディスク出し入れ許容位置にガイドする移動ガイド用の凹部を設けることにより、
前記第２のディスク保持部を、前記移動ガイド用の凹部に沿って円滑に前記ディスク保持位置と前記ディスク出し入れ許容位置の間で移動させることができるようにした。
【００１６】
請求項４の発明は、請求項２のディスクカートリッジにおいて、
前記移動ガイド用の凹部の端部に、前記第２のディスク保持部が前記ディスク保持位置に移動してきたときに前記移動ガイド用の凸部を係止する係止部を設けることにより
前記移動ガイド用の凸部を前記係止部に係止して、ディスク収納部内におけるディスクの保持を維持できるようにした。
【００１７】
請求項５の発明は、請求項２のディスクカートリッジにおいて、
前記第２のディスク保持部を、前記シャターが前記開口部を開放する位置に移動して来たときに該シャターで押されて前記ディスク保持位置に移動し、前記シャターを前記開口部を閉塞する方向に移動させると前記弾性部の付勢力で前記ディスク出し入れ許容位置に移動するようにして、
シャターの開閉で前記第２のディスク保持部が自動的にディスク保持位置とディスク出し入れ許容位置との間で移動するようにした。
【００１８】
【発明の実施の形態】
図１〜図１３は第１の実施の形態のディスクカートリッジ１を示し、図１はディスクカートリッジ１の斜視図、図２はディスクカートリッジ１を底面側から見た斜視図、図３はディスクカートリッジ１の分解斜視図、図４はディスクを保持している状態を示す平面図、図５はディスクを出し入れ可能にした状態を示す平面図である。
【００１９】
ディスクカートリッジ１は、ディスク２００を収納するディスク収納部２を備えたカートリッジ本体部３と、カートリッジ本体部３に移動可能に取付けられていてディスク収納部２の底面に設けた駆動軸挿入用の開口部４と記録及び／又は再生用の開口部５を開閉するシャッター６を備えている。
【００２０】
カートリッジ本体部３は、ディスク収納部２の上部をカートリッジ本体部３の一方の主面である上面３ａ側に開放するディスク出し入れ用の開口部７と、ディスク収納部２内にディスク２００を保持するディスク保持機構８と、を備えている。
【００２１】
ディスク保持機構８は、ディスク出し入れ用の開口部７の略対向部に設けられていてディスク収納部２内に収納されているディスク２００がディスク収納部２内から抜け出るのを阻止する第１のディスク保持部９と第２のディスク保持部１０と、を備えている。
【００２２】
第１のディスク保持部９は、ディスク収納部２内に収納されているディスク２００の周縁部の上部に重合するように、ディスク収納部２の上端の一部を略円弧状に内周側に突出させることにより形成されている。
【００２３】
第２のディスク保持部１０は、図４に示すように、ディスク２００がディスク収納部２から抜け落ちるのを阻止するディスク保持位置と、図５に示すように、ディスク２００を出し入れ可能にするディスク出し入れ許容位置と、の間で移動可能に形成されている。
【００２４】
図６に示すように、第２のディスク保持部１０は、ディスク収納部２内に収納されているディスク２００の外周面２０３に接触する接触部１１と、ディスク２００の周縁部２０４の上部に重なり合う鍔部１２と、接触部１１及び鍔部１２をディスク２００側に付勢する蛇腹状の弾性部１３と、カートリッジ本体部３に設けた移動ガイド用の凹部１５（図３参照）に係合する移動ガイド用の凸部１４と、を備えている。前記接触部１１のディスク接触面１１ａは、垂直面に形成されていて、ディスク２００の外周面２０３に面接触するようになっている。
【００２５】
図３に示すように、第２のディスク保持部１０は、移動ガイド用の凸部１４をカートリッジ本体部３に設けた移動ガイド用の凹部１５に挿入することにより、前記ディスク収納部２内に収納されているディスク２００に接近する方向又は離間する方向に移動可能にカートリッジ本体部３に組付けられている。
【００２６】
図２に示すように、移動ガイド用の凹部１５は、カートリッジ本体部３の他方の主面である下面３ｂ側に開口していると共に、移動ガイド用の凸部１４の先端部は、前記開口を介してカートリッジ本体部３の下面から突出した状態になっている。
【００２７】
図７に示すように、第２のディスク保持部１０は、ディスク出し入れ用の開口部７を設けたカートリッジ本体部３の上面３ａの下方に配置されていて、シャッター６が駆動軸挿入用の開口部４と記録及び／又は再生用の開口部５を閉塞している状態において、第２のディスク保持部１０は、弾性部１３で付勢され、移動ガイド用の凸部１４が移動ガイド用の凹部１５の一端側１５ａ側に移動していて、接触部１１がディスク２００の外周面２０３に接触して、ディスク２００をディスク収納部２の周壁２ａに押し付けると共に、鍔部１２がディスク２００の周縁部２０４の上部に重なり合って、ディスク２００をディスク収納部２内に確実に保持するようになっている。
【００２８】
また、図８に示すように、シャッター６を駆動軸挿入用の開口部４と記録及び／又は再生用の開口部５を開放する位置に移動させると、シャッター６の一側部６ａで移動ガイド用の凸部１４が押されて、シャター６に連動して、接触部１１がディスク２００の外周面２０３に接触しない位置まで自動的に移動するようになっている。
【００２９】
前記第２のディスク保持部１０は、蛇腹状の弾性部１３を含めて全体がアセタール樹脂等のプラスチックで一体的に形成されているが、図９に示すように、接触部１１と鍔部１２と移動ガイド用の凸部１４をアセタール樹脂等のプラスチックで形成して、これに弾性部１３として金属製のコイルスプリングを取付けて構成しても良い。また、図１０に示すように、前記接触部１１のディスク接触面１１ａを上端側から下端側に行くに従って徐々にディスク２００の外周面２０３から離間する方向に傾斜する傾斜面に形成して、前記ディスク接触面１１ａでディスク２００の外周面２０３を押圧してディスク２００を下方に押し下げる力Ｆを発生させるようにしてもよい。また、図１１に示すように、前記接触部１１のディスク接触面１１ａを上端側から高さ方向の略中央部まではディスク２００の外周面２０３から離間する方向に傾斜する第１傾斜面１１ｂとし、中央部から下端まではディスク２００の外周面２０３に接近する方向に傾斜する第２傾斜面１１ｃとして、これら第１傾斜面１１ｂと第２傾斜面１１ｃとで、ディスク２００の外周面２０３の上端部と下端部を挟着する構成にしてもよい。
【００３０】
また、図１２に示すように、カートリッジ本体部３の上面３ａのディスク出し入れ用の開口部７の周縁部に切欠部３ｃを設け、該切欠部３ｃに鍔部１２を挿入した状態で第２のディスク保持部１０をカートリッジ本体部３に組付ける構成にしてもよい。
【００３１】
なお、図３の分解斜視図に示したように、カートリッジ本体部３は、ポリカーボネート（ＰＣ）、アクリルブチレンスチロール（ＡＢＳ）、ポリスチレン（ＰＳ）、ハイインパクトポリスチレン（ＧＰ−ＰＳ）等のプラスチック等の熱可塑性樹脂により射出成形された上ハーフ２１と、下ハーフ２２と、をネジ２３等で結合することにより構成されている。上ハーフ２１は、ディスク収納部２の周壁２ａを構成する略円形状のリブ２４やディスク収納部２の上方をカートリッジ本体部３の上面３ａ側に開放するディスク出し入れ用の開口部７、第１のディスク保持部９等を備えている。また、下ハーフ２２は、前記上ハーフ２１側の略円形状のリブ２４と共同してディスク収納部２の周壁２ａを構成する複数の略円弧状のリブ２５や駆動軸挿入用の開口部４、記録及び／又は再生用の開口部５、移動ガイド用の凹部１５等を備えていると共に、誤消去防止部材２６が移動可能に取付けられている。また、前記下ハーフ２２の外側面（図３の下面）にはシャッター６の移動範囲（移動エリア）を設定するシャッター移動凹部２７が設けられていて、該シャッター移動凹部２７上にシャッター６が重ね合わされている。
【００３２】
シャッター６は、ステンレススチールやアルミニューム等の肉厚０．１〜０．５ｍｍ程度の薄板を矩形状に打ち抜くことにより形成されていて、長手方向の一端部に折り曲げ形成されたスライダー取付部６ａにネジ３０によりスライダー３１が取付けられている。前記スライダー３１は、上ハーフ２１と下ハーフ２２の間に挟まれた状態でカートリッジ本体部３の一側部にスライド可能に取付けられていて、シャッター６を駆動軸挿入用の開口部４、記録及び／又は再生用の開口部５を閉塞する位置と、開放する位置との間で移動させるようになっている。
【００３３】
前記シャッター６は、スライダー３１に作用するシャタースプリング３２のバネ力によって通常は駆動軸挿入用の開口部４、記録及び／又は再生用の開口部５を閉塞する位置にセットされている。なお、前記シャッター６の自由端側６ｂ（スライダー取付部６ａと反対側）は、シャターガイドプレート３３によってスライドをガイドされると共に、下ハーフ２２のシャッター移動凹部２７から捲くれ上がるのを阻止されている。
【００３４】
次に前記第１の実施の形態のディスクカートリッジ１の作用について説明する。
【００３５】
図１３に示すように、ディスクカートリッジ１にディスク２００を収納する際にはディスク２００を傾斜させて、下端側を第１のディスク保持部９の下部に挿入する。そして、指先Ｆ等で移動ガイド用の凸部１４を弾性部１３のバネ力に抗して押圧するなどして第２のディスク保持部１０をディスク出し入れ許容位置まで移動させて、ディスク２００をディスク収納部２内に挿入する。
【００３６】
ディスク２００をディスク収納部２内に挿入した後に、指先Ｆ等による移動ガイド用の凸部１４の押圧を解除すれば、弾性部１３のバネ力で第２のディスク保持部１０は、ディスク保持位置に移動して、図７に示すように、接触部１１でディスク２００をディスク収納部２の周壁２ａに押し付けると共に、鍔部１２がディスク２００の周縁部２０４の上部に重なり合って、ディスク２００をディスク収納部２内に確実に保持する。
【００３７】
ディスク２００を収納したディスクカートリッジ１を記録及び／又は再生装置に挿入すれば、該装置に設けたシャッター開放部材によって、シャッター６は、駆動軸挿入用の開口部４と記録及び／又は再生用の開口部５を開放する方向に移動してくる。シャッター６が所定の位置まで移動してくると，図８に示すように、シャッター６の一側部６ａで移動ガイド用の凸部１４が押されて、第２のディスク保持部１０は、接触部１１がディスク２００の外周面２０３に対して非接触位置まで移動してディスク２００の拘束を解除すると共に、シャッター６は、駆動軸挿入用の開口部４と記録及び／又は再生用の開口部５を全開した位置に停止する。
【００３８】
前記ディスク２００が中央部に磁性ハブ２０１を有するものであり、且つ記録及び／又は再生装置がマグネット・チャッキング方式のものであれば、駆動軸挿入用の開口部４からディスクカートリッジ１内にターンテーブルが導入されて、該ターンテーブルにディスク２００の磁性ハブ２０１がマグネット・チャッキングされる。
【００３９】
また、前記ディスク２００が中央部に磁性ハブ２０１を有しないものであり、且つ記録及び／又は再生装置がメカニカル・チャッキング方式のものであれば、駆動軸挿入用の開口部４からディスクカートリッジ１内にターンテーブル５０１が導入されて、該ターンテーブル５０１上にディスクが載置されると共に、記録及び／又は再生装置に設けたクランプ部材５０３がディスクカートリッジ１のディスク出し入れ用の開口部７からディスクカートリッジ１内に導入されて、ディスクをターンテーブル５０１に押し付けてディスクをターンテーブル５０１上にメカニカル・チャッキングする。
【００４０】
図１４〜図１６は第２の実施の形態のディスクカートリッジ１を示し、図１４は第２の実施の形態のディスクカートリッジ１の斜視図、図１５は第２のディスク保持部９をディスク保持位置にロックした状態における要部の拡大平面図、図１６は第２のディスク保持部９のロックをシャッター６で解除する状態における要部の拡大平面図である。
【００４１】
第２の実施の形態のディスクカートリッジ１において、移動ガイド用の凹部１５は、第２のディスク保持部１０がディスク保持位置に移動してきたときに移動ガイド用の凸部１４を係止する係止部４１を一端部に備えている。
【００４２】
図１５に拡大して示すように、前記係止部４１は、移動ガイド用の凹部１５の一端部を略直角に折り曲げた状態に連設されていて、ディスク保持位置に移動してきた移動ガイド用の凸部１４の先端部を係止することにより、第２のディスク保持部１０をディスク保持位置にロックするようになっている。
【００４３】
また、図１６に示すように、シャッター６の一側部６ａには、移動ガイド用の凸部１４と前記係止部４１の係合を解除するロック解除部４２が設けられている。
【００４４】
前記ロック解除部４２は、ロック解除用の傾斜面４３を備えている。そして、シャッター６が駆動軸挿入用の開口部４、記録及び／又は再生用の開口部５を閉塞する方向に移動してくると、前記ロック解除部４２の傾斜面４３で移動ガイド用の凸部１４を移動ガイド用の凹部１５側に移動させて第２のディスク保持部１０のロックを解除するようになっている。
【００４５】
次に、第２の実施の形態のディスクカートリッジ１の作用について説明する。
【００４６】
ディスクカートリッジ１にディスク２００を収納する際には、前記第１の実施の形態のディスクカートリッジの場合と同様にディスク２００を傾斜させて、下端側を第１のディスク保持部９の下部に挿入する。そして、指先Ｆ等で移動ガイド用の凸部１４を弾性部１３のバネ力に抗して押圧して第２のディスク保持部１０をディスク出し入れ許容位置まで移動させて、ディスク２００をディスク収納部２内に挿入する。
【００４７】
ディスク２００をディスク収納部２内に挿入した後に、指先Ｆ等による移動ガイド用の凸部１４の押圧を解除すれば、弾性部１３のバネ力で第２のディスク保持部１０は、ディスク保持位置に移動して、接触部１１でディスク２００をディスク収納部２の周壁２ａに押し付けると共に、鍔部１２がディスク２００の周縁部２０４の上部に重なり合って、ディスク２００をディスク収納部２内に確実に保持するディスク２００をディスク収納部２内に保持する。
【００４８】
更に、指先Ｆ等で移動ガイド用の凸部１４の先端部を、前記移動ガイド用の凹部１５の一端部に係止部４１に係止すれば、第２のディスク保持部１０がディスク保持位置にロックされた状態になるのである。
【００４９】
ディスク２００を収納したディスクカートリッジ１を記録及び／又は再生装置に挿入すれば、該装置に設けたシャッター開放部材によって、シャッター６は、駆動軸挿入用の開口部４と記録及び／又は再生用の開口部５を開放する方向に移動してくる。シャッター６が所定の位置まで移動してくると前記シャッター６の一側部６ａに設けたロック解除部４２の傾斜面４３で移動ガイド用の凸部１４を移動ガイド用の凹部１５側に移動させて第２のディスク保持部１０のロックを解除する。更に、シャッター６が移動すると、シャッター６の一側部６ａで移動ガイド用の凸部１４が押されて、第２のディスク保持部１０は、接触部１１がディスク２００の外周面２０３に対して非接触位置まで移動してディスク２００の拘束を解除すると共に、シャッター６は、駆動軸挿入用の開口部４と記録及び／又は再生用の開口部５を全開した位置に停止する。なお、他の構成および作用、効果は、第１の実施の形態の場合と略同じであるので重複する説明を省略する。
【００５０】
【発明の効果】
本発明のディスクカートリッジには次に述べるような効果がある。
（１）請求項１のディスクカートリッジは、磁性ハブを有するディスクをディスクカートリッジに収納してマグネット・チャッキング方式の記録及び／又は再生装置へ装填することが可能なことはもとより、磁性ハブを有しないディスクをディスクカートリッジに収納してメカニカル・チャッキング方式の記録及び／又は再生装置へ装填することも可能になる。また、ディスク保持機構をディスク収納部の開口部の対向部に配置した第１のディスク保持部と第２のディスク保持部とで構成したので、これら第１及び第２のディスク保持部によってディスクがディスク収納部内から抜け落ちるの確実に防止できる
（２）請求項２のディスクカートリッジは、第１及び第２のディスク保持部のうちの一方のディスク保持部である第２のディスク保持部を、ディスク保持位置に移動させて、ディスクがディスク収納部内から抜け落ちるのを防止すると共に、第２のディスク保持部を、ディスク出し入れ許容位置に移動させて、ディスクをディスク収納部内から取り出したり、或いはディスクをディスク収納部内に挿入することができる。
（３）請求項３のディスクカートリッジは、第２のディスク保持部を、移動ガイド用の凹部に沿って円滑にディスク保持位置と前記ディスク出し入れ許容位置の間で移動させることができる。
（４）請求項４のディスクカートリッジは、移動ガイド用の凸部を移動ガイド用の凹部の端部に設けた係止部に係止して、ディスク収納部内におけるディスクの保持を維持できる
（５）請求項５のディスクカートリッジは、シャターの開閉に連動させて第２のディスク保持部を自動的にディスク保持位置とディスク出し入れ許容位置との間で移動させることができる。
【図面の簡単な説明】
【図１】第１の実施の形態のディスクカートリッジの斜視図。
【図２】第１の実施の形態のディスクカートリッジを裏面側から見た斜視図。
【図３】第１の実施の形態のディスクカートリッジの分解斜視図。
【図４】第２のディスク保持部がディスク保持位置にあるときの平面図。
【図５】第２のディスク保持部がディスク出し入れ許容位置にあるときの平面図。
【図６】第２のディスク保持部の斜視図。
【図７】第２のディスク保持部がディスク保持位置にあるときの断面図。
【図８】第２のディスク保持部がディスク出し入れ許容位置にあるときの断面図。
【図９】第２のディスク保持部の変形例の斜視図。
【図１０】第２のディスク保持部の変形例の断面図。
【図１１】第２のディスク保持部の変形例の断面図。
【図１２】第２のディスク保持部の変形例の断面図。
【図１３】ディスクを挿入する場合を示す説明図。
【図１４】第２の実施の形態のディスクカートリッジを裏面側から見た斜視図。
【図１５】第２のディスク保持部をディスク保持位置にロックした状態における要部の拡大平面図。
【図１６】第２のディスク保持部のロックをシャッターで解除する場合を示す説明図。
【図１７】従来例の斜視図。
【図１８】他の従来例の斜視図。
【図１９】他の従来例の斜視図。
【図２０】ディスクをマグネット・チャッキングした状態の断面図。
【図２１】ディスクをメカニカル・チャッキングした状態の断面図。
【符号の説明】
１…ディスクカートリッジ、２…ディスク収納部、３…カートリッジ本体部、４…駆動軸挿入用の開口部、５…記録及び／又は再生用の開口部、６…シャッター、７…ディスク出し入れ用の開口部、８…ディスク保持機構、９…第１のディスク保持部、１０…第２のディスク保持部、１１…接触部、１２…鍔部、１３…弾性部、１４…移動ガイド用の凸部、１５…移動ガイド用の凹部、４１…係止部、２００…ディスク、２０１…磁性ハブ。
【図１】
2004139674.tif 000003
【図２】
2004139674.tif 000004
【図３】
2004139674.tif 000005
【図４】
2004139674.tif 000006
【図５】
2004139674.tif 000007
【図６】
2004139674.tif 000008
【図７】
2004139674.tif 000009
【図８】
2004139674.tif 000010
【図９】
2004139674.tif 000011
【図１０】
2004139674.tif 000012
【図１１】
2004139674.tif 000013
【図１２】
2004139674.tif 000014
【図１３】
2004139674.tif 000015
【図１４】
2004139674.tif 000016
【図１５】
2004139674.tif 000017
【図１６】
2004139674.tif 000018
【図１７】
2004139674.tif 000019
【図１８】
2004139674.tif 000020
【図１９】
2004139674.tif 000021
【図２０】
2004139674.tif 000022
【図２１】
2004139674.tif 000023